【手続補正書】
【提出日】平成26年3月4日(2014.3.4)
【手続補正１】
【補正対象書類名】明細書
【補正対象項目名】発明の名称
【補正方法】変更
【補正の内容】
【発明の名称】画像抽出装置、画像抽出プログラム及び画像抽出方法
【手続補正２】
【補正対象書類名】明細書
【補正対象項目名】０００１
【補正方法】変更
【補正の内容】
【０００１】
本発明は、画像抽出装置、画像抽出プログラム及び画像抽出方法に関し、特に動画データから画像を抽出する技術に関する。
【手続補正３】
【補正対象書類名】明細書
【補正対象項目名】０００９
【補正方法】変更
【補正の内容】
【０００９】
本発明は、かかる従来の課題に鑑みてなされたものであり、動画データからスライドショー形式での表示に適切なフレームデータを抽出することのできる画像抽出装置、画像抽出プログラム及び画像抽出方法を提供することを目的とする。
【手続補正４】
【補正対象書類名】明細書
【補正対象項目名】００１０
【補正方法】変更
【補正の内容】
【００１０】
前記課題を解決するため、本発明に係る画像抽出装置にあっては、複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しないことを特徴とする。
【手続補正５】
【補正対象書類名】明細書
【補正対象項目名】００１１
【補正方法】変更
【補正の内容】
【００１１】
また、本発明に係る本発明に係る画像抽出プログラムにあっては、画像抽出装置が有するコンピュータを、複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しない手段として機能させることを特徴とする。
【手続補正６】
【補正対象書類名】明細書
【補正対象項目名】００１２
【補正方法】変更
【補正の内容】
【００１２】
また、本発明に係る本発明に係る画像抽出方法にあっては、複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しないことを特徴とする。
【手続補正７】
【補正対象書類名】明細書
【補正対象項目名】００１３
【補正方法】変更
【補正の内容】
【００１３】
本発明によれば、動画撮影を行うという簡単な事前準備により、動画データからスライドショー形式での表示に適切な相違性のあるフレームデータを抽出することができる。よって、簡単な事前準備によりユーザのスライドショー観賞に対する興趣性を向上させることができる。
【手続補正８】
【補正対象書類名】特許請求の範囲
【補正対象項目名】全文
【補正方法】変更
【補正の内容】
【特許請求の範囲】
【請求項１】
複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しないことを特徴とする画像抽出装置。
【請求項２】
前記複数のフレームデータは、時間的に連続する前記複数のフレームデータで構成されている動画データから所定の時間毎の前記フレームデータを選択する選択部により選択し、
前記ｎ＋１番目に選択された前記フレームデータを抽出するのは抽出部により行い、
前記複数のエリアの色の比較は比較部により対応するエリア毎に行なうことを特徴とする請求項１記載の画像抽出装置。
【請求項３】
前記比較部は、前記ｎ番目の前記複数のエリアと前記ｎ＋１番目の前記複数のエリアとの各対応するエリアをそれぞれ比較し、色が不一致である前記エリアの個数が前記所定の割合以上であるか否か、又は、前記ｎ番目の前記複数のエリア全体と前記ｎ＋１番目の前記複数のエリア全体とを比較し、前記複数のエリア全体のうち前記所定の割合以上の色が不一致であるか否か、のいずれかを判断することを特徴とする請求項２記載の画像抽出装置。
【請求項４】
前記所定の割合は２０％であることを特徴とする請求項１乃至３の何れか一項記載の画像抽出装置。
【請求項５】
前記抽出部により抽出された前記フレームデータを漫画絵画像に変換する漫画絵変換部を備えたことを特徴とする請求項２乃至４の何れか一項記載の画像抽出装置。
【請求項６】
前記漫画絵変換部は、前記フレームデータにおいて主要被写体を認識する主要被写体認識部を備え、
前記主要被写体認識部により認識された前記主要被写体の輪郭を抽出して、前記主要被写体のみを漫画絵画像に変換することを特徴とする請求項５記載の画像抽出装置。
【請求項７】
前記主要被写体認識部は、人物被写体における顔部分のみを前記主要被写体として認識する顔認識部を備え、
前記漫画絵変換部は、前記顔認識部により認識された人物被写体における顔部分のみを漫画絵に変換することを特徴とする請求項６記載の画像抽出装置。
【請求項８】
前記漫画絵変換部は、前記人物被写体の顔部分を拡大して漫画絵に変換することを特徴とする請求項７記載の画像抽出装置。
【請求項９】
前記動画データが、前記複数のフレームデータと共に音声データが記録されているものである場合において、
前記選択部により前記ｎ番目に選択された前記フレームデータと前記ｎ＋１番目に選択された前記フレームデータとの間に記録されている前記音声データを抽出する音声データ抽出部と、
前記音声データ抽出部により抽出された前記音声データにより表される音声を文字列に変換する文字列変換部と、
を備え、
前記漫画絵変換部は、前記文字列変換部により変換された文字列を含む吹き出しを前記ｎ＋１番目に抽出された前記フレームデータ内に合成することを特徴とする請求項５乃至８の何れか一項記載の画像抽出装置。
【請求項１０】
前記抽出手段により抽出された前記複数のフレームデータを表示する表示部を備えたことを特徴とする請求項２乃至９の何れか一項に記載の画像抽出装置。
【請求項１１】
前記抽出手段により抽出された前記複数のフレームデータを含む画像ファイルを生成するファイル生成部を備えたことを特徴とする請求項２乃至１０の何れか一項に記載の画像抽出装置。
【請求項１２】
画像抽出装置が有するコンピュータを、
複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しない手段として機能させることを特徴とする画像抽出プログラム。
【請求項１３】
複数のフレームデータのうち、ｎ番目に選択された前記フレームデータの複数のエリアの色と、ｎ＋１番目に選択された前記フレームデータの複数のエリアの色と、を比較し、前記複数のエリアにおける色が所定の割合以上異なる場合、前記ｎ＋１番目に選択された前記フレームデータを抽出し、前記複数のエリアにおける色が所定の割合以上異ならない場合、前記ｎ＋１番目に選択された前記フレームデータを抽出しないことを特徴とする画像抽出方法。